(57)【要約】【課題】外箱の変形を最少に抑え、冷蔵庫全体の傾きを解消することができる冷蔵庫を提供する。【解決手段】外箱は側桁１２ａ、１２ｂと、その上端を連結する天板からなるコ字状である。側板２１ａ、２１ｂの下端には、台板１１が設置され、側板２１ａ、２１ｂの下端部にはＬ字状の側桁１２がそれぞれ設置されている。台板１１の両端部にはネジ止め部３１ａ、３１ｂが形成され、側桁１２ａ、１２ｂの鉛直部にはネジ止め部３２ａ、３２ｂが形成され、ネジ止め部３１ａ、３２ａに設置されたネジ３３ａと、ネジ止め部３１ｂ、３２ｂに設置されたネジ３３ｂと、によって台板１１と側桁１２ａ、１２ｂとが強固に固定されている。【選択図】図２
2009074763.tif 000002
【特許請求の範囲】
【請求項１】
一対の側板および該側板の上端を連結する天板からなるコ字状の外箱と、
前記側板のそれぞれの下端部を補強する一対のＬ字状の側桁と、
両端部がそれぞれ前記一対のＬ字状の側桁にネジによって連結固定された台板と、
を有し、
前記連結固定によって、全体の傾きをなくし、且つ、全体の安定性を向上させたことを特徴とする冷蔵庫。
【請求項２】
前記全体の傾きをなくし、且つ、全体の安定性を向上させたことにより、全体の強度を向上させることを特徴とする請求項１記載の冷蔵庫。
【請求項３】
前記一対の側板のそれぞれにヒンジ接合された一対の観音開き扉を有し、
前記全体の安定性を向上させたことにより、前記観音開き扉の扉段差を改善することを特徴とする請求項１記載の冷蔵庫。
【請求項４】
前記台板に階段状のビードが設けられ、該ビードによって、強固な構造になり、全体の安定性を向上することができることを特徴とする請求項１記載の冷蔵庫。
【請求項５】
前記台板に階段状のビードが設けられ、該ビードを設けることによって、台板の肉厚を薄くすることを可能にする請求項１記載の冷蔵庫。
【発明の詳細な説明】
【技術分野】
【０００１】
本発明は冷蔵庫、特に、冷蔵庫の外殻を構成する外箱の側板と、外箱補強用の側桁と、冷蔵庫下部の台板との固定方法に関するものである。
【背景技術】
【０００２】
近年、家庭用冷蔵庫の大型化が進み、冷蔵庫の外郭を構成する断熱箱体への外部圧力に対する強度維持や強度向上が図られている。また、冷蔵庫の大型化に伴い、両開き扉となっている冷蔵庫の需要が拡大し、両開き扉の冷蔵庫の需要が伸びるにつれて、冷蔵室扉の左右の扉段差が顕著に現れるようになり、大きな問題点となっている。
そこで、本特許出願の発明者等は、冷蔵庫の外殻を構成する外箱の変形を少なくするために、両側板の下端部に補強部材を設けた冷蔵庫を開示している（例えば、特許文献１参照）。
【０００３】
【特許文献１】特開２００５−３７５４２号公報（第４−５頁、図３）
【発明の開示】
【発明が解決しようとする課題】
【０００４】
特許文献１に開示された冷蔵庫は、冷蔵庫の側板の下部に、外箱補強用のＬ字状の補強部材（側桁に同じ）が挿入固定され、冷蔵庫背面側で補強部材（側桁）の下側に台板が設けられ、台板は側板に補強部材（側桁）と共に、４本の底面固定用螺子によって共締めされている。このとき、補強部材（側桁）は側板に２方向から、それぞれ底面固定用螺子および前面固定用螺子によって２軸方向に螺子締結されている。
すなわち、螺子による前後方向および上下方向の固定に加え、側板と補強部材（側桁）とを冷蔵庫幅方向および冷蔵庫幅方向に対して拘束しているから、冷蔵庫の外箱が大きく変形することがなく、強固で歪みの少ない冷蔵庫外箱が安価に提供されている。
【０００５】
しかしながら、特許文献１に開示された冷蔵庫は、前記作用効果を奏するものであるものの、外箱の変形をさらに少なくすることや製造コストをさらに安価にすることが要請されている。
【０００６】
この発明は、上記のような要請に応えるためになされたものであって、最少数の部材構成と簡素な組立手順によって、外箱の変形を最少に抑える、冷蔵庫全体の傾きを解消することができる冷蔵庫を提供することを目的とする。
【課題を解決するための手段】
【０００７】
（１）本発明に係る冷蔵庫は、一対の側板および該側板の上端を連結する天板からなるコ字状の外箱と、
前記側板のそれぞれの下端部を補強する一対のＬ字状の側桁と、
両端部がそれぞれ前記一対のＬ字状の側桁にネジによって連結固定された台板と、
を有し、
前記連結固定によって、全体の傾きをなくし、且つ、全体の安定性を向上させたことを特徴とする。
【発明の効果】
【０００８】
したがって、本発明に係る冷蔵庫は、台板の両端部がそれぞれ一対のＬ字状の側桁にネジによって連結固定されているから、
（ｉ）連結固定によって、冷蔵庫全体の傾きをなくし、且つ、全体の安定性を向上させたことができる。
（ｉｉ）また、前記全体の傾きをなくし、且つ、全体の安定性を向上させたことにより、冷蔵庫全体の強度を向上させることができる。
（ｉｉｉ）さらに、一対の側板のそれぞれにヒンジ接合された一対の観音開き扉を有する場合、前記全体の安定性を向上させたことにより、前記観音開き扉の扉段差を改善することができる。
（ｉｖ）さらに、前記台板に階段状のビードを設ければ、該ビードによって、強固な構造になり、全体の安定性を向上することができるとともに、台板の肉厚を薄くすることが可能になり製造コストを安価にすることができる。
【発明を実施するための最良の形態】
【０００９】
[実施の形態：冷蔵庫]
図１〜図７は本発明の実施形態に係る冷蔵庫を説明するものであって、図１は冷蔵庫を模式的に示す正面図、図２は冷蔵庫背面下部の機械室を示す斜視図、図３の（ａ）は機械室底面を示す斜視図、図３の（ｂ）は機械室底面をカバーの一部を透視して示す斜視図、図４は冷蔵庫台板を示す斜視図、図５は冷蔵庫側桁を示す斜視図である。
図６〜図８は扉段差を説明するものであって、図６は冷蔵庫外箱の変形を模式的に示す斜視図、図７および図８は冷蔵庫を模式的に示す、それぞれ（ａ）は正面図、（ｂ）は平面図である。なお、以下の説明において、共通の内容を説明する場合に、符号の添え字「ａ、ｂ」を省略する場合がある。
【００１０】
図１において、冷蔵庫は正面に、冷蔵室左扉１、冷蔵室右扉２、製氷室扉３、切替室扉４、野菜室扉５、および冷凍室扉６が開閉自在に設けらている。このとき、冷蔵室左扉１と冷蔵室右扉２とが、一対の観音開き扉を構成している。
【００１１】
図２〜図５において、外箱は冷蔵庫側板（以下「側板」と称す）２１ａ、２１ｂと、側板２１ａ、２１ｂの上端を連結する天板からなるコ字状である。側板２１ａ、２１ｂの下端には、圧縮機１３等を支える冷蔵庫台板（以下「台板」と称す）１１が設置されている。側板２１ａ、２１ｂの下端部には、鉛直部および水平部を具備するＬ字状の冷蔵庫側桁（以下「側桁」と称す）１２がそれぞれ設置されている。
そして、台板１１の両端部にはネジ３３ａ、３３ｂが侵入自在なネジ止め部（貫通孔）３１ａ、３１ｂが形成され、側桁１２ａ、１２ｂの鉛直部には、それぞれネジ３３ａ、３３ｂが螺合自在なネジ止め部（雌ねじ）３２ａ、３２ｂが形成され、ネジ止め部３１ａ、３２ａに設置されたネジ３３ａと、ネジ止め部３１ｂ、３２ｂに設置されたネジ３３ｂと、によって台板１１と側桁１２ａ、１２ｂとが強固に固定されている。
【００１２】
すなわち、台板１１と側桁１２とをネジ３３によって共締めを行うことにより、冷蔵庫全体の安定性を大きくし、４点支持が保持できる。
そのため、部材相互の関係が強固に連結し、冷蔵庫の足下がしっかりするため、冷蔵庫の傾きがなくなる。また、ネジ３３による固定にしているため、外箱等の成形バラツキがあっても容易に固定することができる。さらに、足下がしっかりして、一点ではなく足下全体に負荷がかかり、力を分散することができるため、冷蔵庫全体の強度が向上する。
【００１３】
なお、本願発明の冷蔵庫は前記特許文献１に開示された冷蔵庫にくらべ、補強部材（側桁）の強度（剛性）を大きくしたものであって、後者は台板１１と補強部材（側桁）とが独立したものであるから、台板１１と側桁１２とが強固に固定した前者は、冷蔵庫全体の変形がさらに抑えられている。
図３において、台板１１には階段状のビート（図４の（ｂ）に示す断面図参照）１１ａをつけているから、強度が大きくなり、冷蔵庫の安定感が増している。
【００１４】
図６は、冷蔵庫全体の傾きについて示している。
図７において、冷蔵庫の後側の足の少なくとも１個が浮いて、支持できない場合、一対の観音開き扉を構成する冷蔵室左扉１のヒンジから遠い縁が本来の位置（変形がない場合の位置）から上方に偏位し、冷蔵室右扉２のヒンジから遠い縁が本来の位置（変形がない場合の位置）から下方に偏位し、両者は上下方向で食い違い、扉段差が生じる。
図８において、冷蔵庫の前側の足の少なくとも１個が浮いて、支持できない場合、一対の観音開き扉を構成する冷蔵室左扉１のヒンジから遠い縁および冷蔵室右扉２のヒンジから遠い縁が、何れも本来の位置（変形がない場合の位置）から下方に偏位し、両者は上下方向で食い違わないものの、本来の位置に対して扉段差が生じる。
なお、図７、８は変形を誇張して示すものであって、扉自体は変形しないで、冷蔵庫全体が傾くため前記扉段差が生じるものである。
【００１５】
以上のように、本願発明の冷蔵庫は、機械室を支えている台板１１と、側板２１を支えている側桁１２とをネジ止めし、それぞれ関係を持たせることにより、台板１１、側板２１、側桁１２を安定させ、冷蔵庫全体の傾きをなくすことが可能である。
また、冷蔵庫全体の傾きを無くすことにより、全体的に３点支持になりやすかった箱体を４点支持に安定させることができる。その結果、冷蔵庫全体が安定し、不安定な場合に顕著に表れる冷蔵室扉の扉段差の問題（図７、８参照）を解消することが可能である。
さらに、機械室を支えている台板１１に階段状のビード１１ａをつけることにより、さらに強固な構造を実現でき、従来よりも台板１１の肉厚を薄くでき、コスト低減へとつながる。
【産業上の利用可能性】
【００１６】
以上より、本発明の冷蔵庫、外箱の変形を最少に抑えて冷蔵庫全体の傾きを解消することができるから、家庭用および業務用の各種冷蔵庫として広く利用することができる。
【図面の簡単な説明】
【００１７】
【図１】本発明の実施形態に係る冷蔵庫を模式的に示す正面図。
【図２】図１に示す冷蔵庫の冷蔵庫背面下部の機械室を示す斜視図。
【図３】図１に示す冷蔵庫の機械室底面を示す斜視図。
【図４】図１に示す冷蔵庫の冷蔵庫台板を示す斜視図。
【図５】図１に示す冷蔵庫の冷蔵庫側桁を示す斜視図。
【図６】図１に示す冷蔵庫の冷蔵庫外箱の変形を模式的に示す斜視図。
【図７】図１に示す冷蔵庫の扉段差を説明する、（ａ）は正面図、（ｂ）は平面図。
【図８】図１に示す冷蔵庫の扉段差を説明する、（ａ）は正面図、（ｂ）は平面図。
【符号の説明】
【００１８】
１：冷蔵室左扉、２：冷蔵室右扉、３：製氷室扉、４：切替室扉、５：野菜室扉、６：冷凍室扉、１１：冷蔵庫台板、１１ａ：台板ビード、１２：冷蔵庫側桁、１３：圧縮機、１４：フィン付凝縮機、１５：ドレン水蒸皿、１６：機械室ファン、１７：冷蔵庫底板、２１：冷蔵庫側板。
【図１】
2009074763.tif 000003
【図２】
2009074763.tif 000004
【図３】
2009074763.tif 000005
【図４】
2009074763.tif 000006
【図５】
2009074763.tif 000007
【図６】
2009074763.tif 000008
【図７】
2009074763.tif 000009
【図８】
2009074763.tif 000010